(57)【要約】【課題】取り付け作業を容易に行うことが可能な防水用のプロテクタ及びプロテクタ付きワイヤハーネスを提供する。【解決手段】内部に電線Ｗが挿通された管部材１０，２０の継ぎ目に取り付けられる防水用のプロテクタ３０であり、全体として筒状をなすとともに前記管部材１０，２０に密着可能なシール部材５１，５２が取り付けられるシール取付部５５，５６を有する合成樹脂製の本体部３１を備え、前記本体部３１が、全長にわたって内部が開放されるように分割された一対の分割体４０を有し、前記一対の分割体４０の合わせ面４１が、液密状に固着されている。【選択図】図３
2018113739.tif 000002
【特許請求の範囲】
【請求項１】
内部に電線が挿通された管部材の継ぎ目に取り付けられる防水用のプロテクタであり、
全体として筒状をなすとともに前記管部材に密着可能なシール部材が取り付けられるシール取付部を有する合成樹脂製の本体部を備え、
前記本体部が、全長にわたって内部が開放されるように分割された一対の分割体を有し、
前記一対の分割体の合わせ面が、液密状に固着されているプロテクタ。
【請求項２】
前記シール部材が、弾力性を有する材料によって、前記一対の分割体の合体時に前記管部材の全周に密着可能なリング状をなすように形成された一対の分割リング部材を有し、
前記一対の分割リング部材は、それぞれが前記分割体に取り付けられ、前記一対の分割体が合体していない状態では、前記分割リング部材の周方向における少なくとも一端側が前記合わせ面から前記一対の分割体の合体方向に突出している請求項１に記載のプロテクタ。
【請求項３】
前記本体部が、前記管部材に設けられた穴部に嵌合する突部を備えている請求項１または請求項２に記載のプロテクタ。
【請求項４】
前記合わせ面が、前記本体部の外周面から径方向の外側に突出して設けられている請求項１ないし請求項３のいずれか一項に記載のプロテクタ。
【請求項５】
前記合わせ面が、前記本体部の軸方向における端面から軸方向の外側に突出して設けられている請求項１ないし請求項４のいずれか一項に記載のプロテクタ。
【請求項６】
電線と、
前記電線が内部に挿通された管部材と、
請求項１ないし請求項５のいずれか一項に記載のプロテクタと、
を備えているプロテクタ付きワイヤハーネス。
【発明の詳細な説明】
【技術分野】
【０００１】
本発明は、防水用のプロテクタ及びプロテクタ付きワイヤハーネスに関する。
【背景技術】
【０００２】
従来、ワイヤハーネス用の外装部品として、コルゲートチューブやプロテクタ、またグロメット等が知られている。例えば下記特許文献１には、複数の電線がシールドパイプ及びコルゲートチューブに一括して挿通されたワイヤハーネスが記載されている。コルゲートチューブは、シールドパイプの端部に接続された編組部材を包囲して保護している。このワイヤハーネスのシールドパイプとコルゲートチューブとの間には、グロメットが取り付けられている。グロメットは筒形状をなし、一端がシールドパイプの端部に外嵌し、他端がコルゲートチューブの端部に外嵌している。グロメットの両端部は、結束バンドによって締め付けられ、シールドパイプ及びコルゲートチューブに弾性的に密着している。このグロメットは、シールドパイプとコルゲートチューブとの継ぎ目から内部へ水が浸入することを防ぐ防水用の外装部品である。
【０００３】
上記のようなグロメットは、シールドパイプの内部に電線を挿通し、編組部材をシールドパイプの端部にかしめ付け、編組部材をコルゲートチューブで覆う作業を行った後に、所定の位置に取り付けられる。グロメットは、先の作業の間はシールドパイプ側またはコルゲートチューブ側に配され、先の作業後に軸方向にずらされて所定の位置に取り付けられる。
【先行技術文献】
【特許文献】
【０００４】
【特許文献１】特開２０１６−９２９７９号公報
【発明の概要】
【発明が解決しようとする課題】
【０００５】
しかしながら、上記のような構成のグロメットを取り付ける作業は非常に困難である。なぜなら、グロメットをシールドパイプまたはコルゲートチューブの外周側に取り付けたり、所定の位置までずらしたり、シールドパイプまたはコルゲートチューブの端部に外嵌させる等、一連の作業を、グロメットを押し広げつつ行わなければならないからである。
【０００６】
本発明は上記のような事情に基づいて完成されたものであって、取り付け作業を容易に行うことが可能な防水用のプロテクタ及びプロテクタ付きワイヤハーネスを提供することを目的とする。
【課題を解決するための手段】
【０００７】
本発明のプロテクタは、内部に電線が挿通された管部材の継ぎ目に取り付けられる防水用のプロテクタであり、全体として筒状をなすとともに前記管部材に密着可能なシール部材が取り付けられるシール取付部を有する合成樹脂製の本体部を備え、前記本体部が、全長にわたって内部が開放されるように分割された一対の分割体を有し、前記一対の分割体の合わせ面が、液密状に固着されているものである。
本発明のプロテクタ付きワイヤハーネスは、電線と、前記電線が内部に挿通された管部材と、前記プロテクタと、を備えているものである。
【発明の効果】
【０００８】
本発明によれば、一対の分割体の間に、電線が挿通された管部材を挟むようにしてプロテクタを取り付けることができるから、取り付け作業を容易に行うことができる。
【図面の簡単な説明】
【０００９】
【図１】本実施例におけるワイヤハーネスであって、プロテクタが取り付けられている状態を示す一部拡大斜視図
【図２】プロテクタが取り付けられている状態のワイヤハーネスを示す一部拡大側面図
【図３】プロテクタが取り付けられている状態のワイヤハーネスを示す一部拡大断面であって、図２のＡ−Ａ位置における断面に相当する断面図
【図４】分割体を示す平面図
【図５】分割体を示す断面図であって、図４のＢ−Ｂ位置における断面に相当する断面図
【図６】分割体が取り付けられている状態のワイヤハーネスを示す一部拡大斜視図
【図７】プロテクタが位置決めされている状態のワイヤハーネスを示す一部切欠き断面図
【発明を実施するための形態】
【００１０】
本発明の好ましい形態を以下に示す。
本発明のプロテクタは、前記シール部材が、弾力性を有する材料によって、前記一対の分割体の合体時に前記管部材の全周に密着可能なリング状をなすように形成された一対の分割リング部材を有し、前記一対の分割リング部材は、それぞれが前記分割体に取り付けられ、前記一対の分割体が合体していない状態では、前記分割リング部材の周方向における少なくとも一端側が前記合わせ面から前記一対の分割体の合体方向に突出しているものとしてもよい。
このような構成によれば、一対の分割体の合体時には、一対の分割リング部材の周方向における端面が潰れて互いに隙間なく密着するから、一対の分割リング部材からなるシール部材のシール性を高めることができる。
【００１１】
また、本発明のプロテクタは、前記本体部が、前記管部材に設けられた穴部に嵌合する突部を備えているものとしてもよい。このような構成によれば、突部が穴部に嵌合することにより、プロテクタが軸方向及び周方向に位置決めされるから、バンド締め付け作業を不要とすることができる。
【００１２】
また、本発明のプロテクタは、前記合わせ面が、前記本体部の外周面から径方向の外側に突出して設けられているものとしてもよい。このような構成によれば、本体部の厚さ分だけを合わせ面とする場合に比して、本体部の全長にわたって合わせ面を増すことができるから、一対の分割体を強固に固着することができる。
【００１３】
また、本発明のプロテクタは、前記合わせ面が、前記本体部の軸方向における端面から軸方向の外側に突出して設けられているものとしてもよい。このような構成によれば、本体部の端部において合わせ面を増すことができるから、一対の分割体をより強固に固着することができる。
【００１４】
＜実施例＞
以下、本発明を具体化した一実施例について、図１〜図７を参照しつつ詳細に説明する。
本実施例におけるワイヤハーネスは、ハイブリッド車等に搭載されるものであり、車両の後部に搭載されたバッテリ等の機器と、車両の前部に搭載されたインバータ等の機器とを接続するものである。ワイヤハーネスの大部分は、車両の床下に配されるようになっている。
【００１５】
ワイヤハーネスは、複数（本実施例では２本）の電線Ｗと、電線Ｗが内部に挿通されたパイプ１０及びコルゲートチューブ（管部材）２０と、パイプ１０とコルゲートチューブ２０との継ぎ目に取り付けられたプロテクタ３０とを備えている。
【００１６】
電線Ｗは、可撓性を有する通常の電線であり、端部には端子金具（図示せず）が接続され、端子金具は機器に接続可能なコネクタ（図示せず）に収容されている。
【００１７】
パイプ１０には、電線Ｗの途中部分が挿通されている。パイプ１０は、金属製（銅あるいは銅合金、またアルミニウムあるいはアルミニウム合金等）であり、内部に通された電線Ｗから発生する電磁ノイズを遮蔽するシールド機能、及び床下に配されたときに飛び石等から電線Ｗを保護する保護機能を有している。パイプ１０は、断面が真円形状をなす長尺なものであり、ワイヤハーネスの配索経路に沿うように所定の形状に曲げ加工されている。パイプ１０の大部分は、車両の床下において前後方向に略水平に配される。
【００１８】
パイプ１０の端部には、図６及び図７に示すように、プロテクタ３０を固定可能な穴部１１が設けられている。穴部１１は、円形状をなしてパイプ１０を厚さ方向（内外方向）に貫通している。穴部１１は、パイプ１０の中心線を間にして対向する位置に一対が設けられている。一対の穴部１１は、同形状とされ、パイプ１０の中心線を基準に対称となっている。
【００１９】
パイプ１０の端部には、図示しない可撓性シールド部材が接続されている。可撓性シールド部材は、電線Ｗのうちパイプ１０から導出されている部分を包囲し、電線Ｗから発生する電磁ノイズを遮蔽するものである。可撓性シールド部材は、金属素線を筒状に編み込んで形成された編組部材や金属テープ等であり、良好な可撓性を有している。可撓性シールド部材の一端部はパイプ１０の端部に固着され、他端部はコネクタに接続される。
【００２０】
コルゲートチューブ２０は、可撓性シールド部材の外周側を覆って可撓性シールド部材を保護するものである。コルゲートチューブ２０は、合成樹脂製であって、全周にわたって切れ目のない筒状をなしている。コルゲートチューブ２０は、山部２１と谷部２２とが軸方向に交互に連続した蛇腹形状をなしている。
【００２１】
プロテクタ３０は、合成樹脂製であって、パイプ１０及びコルゲートチューブ２０に外嵌可能な筒状をなす本体部３１を有している。合成樹脂製の本体部３１は、例えばゴム製のもののように伸縮しないので、製品寸法のばらつきを小さくすることができる。
【００２２】
本体部３１の一端部は、図１に示すように、パイプ１０の端部に外嵌可能な第１嵌合部３２とされ、他端部は、コルゲートチューブ２０の端部に外嵌可能な第２嵌合部３３とされている。第１嵌合部３２、第２嵌合部３３及び第１嵌合部３２と第２嵌合部３３との間の中間部３４は、いずれも円筒形状をなしている。第１嵌合部３２は、第２嵌合部３３よりも径寸法が小さく、中間部３４は、第１嵌合部３２及び第２嵌合部３３よりも径寸法が小さくされている。第１嵌合部３２と中間部３４との間、第２嵌合部３３と中間部３４との間には段差部３５が形成されている。
【００２３】
本体部３１には、図７に示すように、パイプ１０に設けられた穴部１１に嵌合可能な突部３９が設けられている。突部３９は、第１嵌合部３２の内周面に突設されている。突部３９は、第１嵌合部３２のうち後述する増厚部５７よりも内側（軸方向における中心側）に全体がずれて設けられ、第１嵌合部３２の軸方向における中心に位置している。
【００２４】
突部３９は、穴部１１に整合した円形断面を有している。突部３９の突出寸法は、パイプ１０の厚さ寸法と同等もしくはパイプ１０の厚さ寸法よりも若干大きい寸法とされている。突部３９は、第１嵌合部３２の中心線を間にして対向する位置に一対が設けられている。一対の突部３９は、同形状とされ、第１嵌合部３２の中心線を基準に対称とされている。
【００２５】
第２嵌合部３３には、コルゲートチューブ２０の谷部２２に入り込み可能な係止突条３８が設けられている（図３参照）。係止突条３８は、第２嵌合部３３の内周面において全周にわたって内側に突出している。係止突条３８は、複数（本実施例では４つ）が設けられている。複数の係止突条３８は、コルゲートチューブ２０の谷部２２の間隔に合わせて等間隔で配されている。係止突条３８は、第２嵌合部３３側の本体部３１の端面３７よりも若干内側に位置している（図４参照）。
【００２６】
本体部３１には、パイプ１０の外周面に密着可能な第１シール部材５１、及びコルゲートチューブ２０の外周面に密着可能な及び第２シール部材５２が取り付けられている（図３参照）。
【００２７】
第１シール部材５１及び第２シール部材５２は、弾力性を有する材料（ゴムやエラストマー等）によって本体部３１とは別体に形成され、それぞれパイプ１０及びコルゲートチューブの全周に密着可能なリング状をなしている。第１シール部材５１は、第２シール部材５２よりも一回り小さく、また細いものとされている。第２シール部材５２は、コルゲートチューブ２０の山部２１と同等の幅寸法を有している。
【００２８】
本体部３１には、第１シール部材５１及び第２シール部材５２がそれぞれ取り付けられる第１シール取付部５５及び第２シール取付部５６が設けられている。
第１シール取付部５５は、図３に示すように、第１嵌合部３２に設けられている。第１シール取付部５５は、第１嵌合部３２の内周面において他の部分よりも一段外側に凹んだ溝状をなしている。第１シール取付部５５は、第１嵌合部３２の全周に連続して延びている。
【００２９】
第１シール取付部５５は、第１嵌合部３２のうち他の部分よりも厚さ寸法が増している部分（以後、増厚部５７と称する）に形成されている。増厚部５７は、図２に示すように、第１嵌合部３２側の本体部３１の端面３７に沿って設けられ、全周にわたって外周側が一段突出した形態をなしている。増厚部５７の内周面は、図３に示すように、第１嵌合部３２の内周面のうち他の部分と段差なく連なっている。増厚部５７は、第１シール取付部５５の凹み寸法（深さ寸法）と同等の寸法分が、第１嵌合部３２の他の部分に比して厚くされている。第１シール取付部５５は、増厚部５７の幅方向（本体部３１の軸方向）における略中心に設けられている。
【００３０】
第２シール取付部５６は、図３に示すように、第２嵌合部３３に設けられている。第２シール取付部５６は、第２嵌合部３３の内周面において他の部分よりも一段外側に凹んだ溝状をなしている。第２シール取付部５６は、第２嵌合部３３の全周に連続して延びている。
【００３１】
第２シール取付部５６は、隣接する一対の係止突条３８の間（コルゲートチューブ２０の山部２１が嵌合する部位）に設けられ、一対の係止突条３８の間の全幅に形成されている。第２シール取付部５６は、他の一対の係止突条３８の間の部分に比して一段深く掘り下げられた溝状をなしている。第２シール取付部５６は、複数の係止突条３８のうち最も端面３７に近い位置に配された係止突条３８と、この係止突条３８と隣接する位置に配された係止突条３８との間に設けられている。
【００３２】
第１シール部材５１及び第２シール部材５２は、第１シール取付部５５及び第２シール取付部５６に隙間なく嵌合している。第１シール部材５１及び第２シール部材５２は、それぞれ弾性的に若干潰れることで生じる自身の弾性力によって第１シール取付部５５及び第２シール取付部５６に保持されてもよいし、接着等によって第１シール取付部５５及び第２シール取付部５６に固定されてもよい。
【００３３】
本体部３１は、全長にわたって内部が開放されるように分割された一対の分割体４０を有し、一対の分割体４０の合わせ面４１が、液密状に固着されている。一対の分割体４０は、本体部３１を略半分に分割したものであり、各分割体４０は、断面半円形状をなしている。一対の分割体４０は、幅方向における両端部（合わせ面４１）同士が合わさって本体部３１を構成する。一対の分割体４０は、突部３９が幅方向の中心に位置するように本体部３１を分割してなり、互いに同形状をなしている。
【００３４】
分割体４０は、合わせ面４１に沿って水平（分割体４０の合体方向と直交する方向）に突出する突縁部４２を有している。突縁部４２は、本体部３１の外周面４６に対して略垂直に突出している。突縁部４２は、分割体４０の全長にわたって連続した薄い板状をなしている。また、突縁部４２は、本体部３１の両端面３７から軸方向の外側に突出している。突縁部４２の一面が、一対の分割体４０の合わせ面４１の一部を構成し、本体部３１の厚さ寸法分よりも合わせ面４１を増すように機能している。
【００３５】
合わせ面４１は、図４に示すように、本体部３１の厚さ寸法と同等の幅寸法を有する部分（以後、第１合わせ部４３と称する）と、本体部３１の外周面４６から径方向の外側に突出して設けられた部分（以後、第２合わせ部４４と称する）と、本体部３１の軸方向における端面３７から軸方向の外側に突出して設けられた部分（以後、第３合わせ部４５と称する）とを備えている。第２合わせ部４４及び第３合わせ部４５は、突縁部４２の一面によって構成されている。
【００３６】
第１合わせ部４３及び第２合わせ部４４は、分割体４０の幅方向における両端部において本体部３１を構成する部分の全長にわたって設けられている。第３合わせ部４５の軸方向の寸法（本体部３１の端面３７からの突出寸法）は、第２合わせ部４４の幅寸法（本体部３１の外周面４６からの突出寸法）と同等とされている。また、第３合わせ部４５の径方向の寸法（図４の上下方向の寸法）は、第１合わせ部４３及び第２合わせ部４４をあわせた径方向の寸法（図４の上下方向の寸法）と同等とされている。これにより、第１合わせ部４３、第２合わせ部４４及び第３合わせ部４５を含む合わせ面４１の幅寸法は、全長にわたり概ね一定とされている。なお、合わせ面４１は、全体として段差のない略水平な面とされている。
第１シール取付部５５及び第２シール取付部５６は、各分割体４０の合わせ面４１において周方向の両端が開放されている。
【００３７】
第１シール部材５１及び第２シール部材５２は、一対の分割体４０の合体時にリング状をなすように形成された一対の第１分割リング部材５３及び一対の第２分割リング部材５４を有している。
【００３８】
第１分割リング部材５３及び第２分割リング部材５４は、それぞれ第１シール部材５１及び第２シール部材５２を概ね半分に割った形状をなし、合体前の各分割体４０に予め取り付けられる（図５参照）。合体前の分割体４０に取り付けられた第１分割リング部材５３及び第２分割リング部材５４の周方向における一端側は、合わせ面４１から一対の分割体４０の合体方向（第１分割リング部材５３及び第２分割リング部材５４の周方向）に突出している。第１分割リング部材５３及び第２分割リング部材５４のうち合わせ面４１から突出している部分（以後、それぞれ第１シール突部５８及び第２シール突部５９と称する）は、各分割体４０において同じ側に配されている。また、第１シール突部５８及び第２シール突部５９の突出寸法は同等とされている。第１分割リング部材５３及び第２分割リング部材５４の両端部のうち第１シール突部５８及び第２シール突部５９とは反対側の端部は、合わせ面４１と段差なく面一に連なっている。
【００３９】
次に、本実施例におけるプロテクタ３０をワイヤーネスに取り付ける作業の一例を説明する。予め、複数の電線Ｗをパイプ１０に挿通し、パイプ１０から導出している電線Ｗを内部に通しつつ可撓性シールド部材をパイプ１０の端部に固着し、可撓性シールド部材の外周にコルゲートチューブ２０を被せ付けておく。
【００４０】
まず、一対の分割体４０のうち一方の分割体４０をワイヤハーネスに取り付ける（図６参照）。第１嵌合部３２をパイプ１０の端部に嵌合し、第２嵌合部３３をコルゲートチューブ２０の端部に嵌合する。このとき、突部３９をパイプ１０の穴部１１に嵌め入れる。突部３９は穴部１１にほぼ隙間なく嵌合し、分割体４０はパイプ１０の端部に対して軸方向及び径方向の位置ずれが規制された状態で取り付けられる。また、係止突条３８をコルゲートチューブ２０の谷部２２に嵌め入れる。係止突条３８の間にコルゲートチューブ２０の山部２１が入り込み、分割体４０はコルゲートチューブ２０の端部に対して軸方向の位置ずれが規制された状態で取り付けられる。一方の分割体４０をワイヤハーネスに取り付けた状態では、第１分割リング部材５３が、パイプ１０の外周面に当接した状態になり、第２分割リング部材５４が、コルゲートチューブ２０の山部２１に当接した状態になる。
【００４１】
次に、他方の分割体４０をワイヤハーネスに取り付ける。一方の分割体４０と同様、突部３９をパイプ１０の穴部１１に嵌め入れつつ第１嵌合部３２をパイプ１０の端部に嵌合し、係止突条３８をコルゲートチューブ２０の谷部２２に嵌め入れつつ第２嵌合部３３をコルゲートチューブ２０の端部に嵌合する。
【００４２】
次に、一対の分割体４０を合体させる。一対の分割体４０の合わせ面４１に接着剤を塗布して接着し、もしくは一対の分割体４０の合わせ面４１を合わせた状態で溶着する（例えばレーザー溶接や超音波溶接等）。
【００４３】
一対の分割体４０が合体することにより、一方の第１分割リング部材５３の第１シール突部５８が弾性的に潰れて他方の第１分割リング部材５３の端部に周方向に密着し、一対の第１分割リング部材５３が全周にわたって連続するように合体し第１シール部材５１を構成する。第１シール部材５１は、弾性的に潰れてパイプ１０の外周面に全周にわたって隙間なく密着し、プロテクタ３０とパイプ１０との間が止水される。
【００４４】
また、一対の分割体４０が合体することにより、一方の第２分割リング部材５４の第２シール突部５９が弾性的に潰れて他方の第２分割リング部材５４の端部に周方向に密着し、一対の第２分割リング部材５４が全周にわたって連続するように合体し第２シール部材５２を構成する。第２シール部材５２は、弾性的に潰れてコルゲートチューブ２０の山部２１に全周にわたって隙間なく密着し、プロテクタ３０とコルゲートチューブ２０との間が止水される。
【００４５】
一対の突部３９は、パイプ１０の穴部１１に嵌合し、プロテクタ３０はパイプ１０の端部に固定される。また、係止突条３８は、全周が閉じる（連続する）とともに、コルゲートチューブ２０の谷部２２に入り込み、プロテクタ３０はコルゲートチューブ２０の端部に固定される。本体部３１は合成樹脂製であって剛性が高く、拡開変形しないため、突部３９と穴部１１との嵌合状態、及び係止突条３８と谷部２２との嵌合状態は強固に維持される。
こうして、プロテクタ３０をワイヤハーネスに取り付ける作業が完了する。
【００４６】
次に、上記のように構成された実施例の作用および効果について説明する。
本実施例のワイヤハーネスは、電線Ｗと、電線Ｗが内部に挿通されたパイプ１０及びコルゲートチューブ２０と、パイプ１０及びコルゲートチューブ２０の継ぎ目に取り付けられるプロテクタ３０と、を備えているものである。プロテクタ３０は、全体として筒状をなす合成樹脂製の本体部３１を備え、本体部３１には、パイプ１０及びコルゲートチューブ２０に密着可能な第１シール部材５１及び第２シール部材５２が取り付けられる第１シール取付部５５及び第２シール取付部５６が設けられている。本体部３１は、全長にわたって内部が開放されるように分割された一対の分割体４０を有し、一対の分割体４０の合わせ面４１が、液密状に固着されている。
【００４７】
この構成によれば、一対の分割体４０の間に、電線Ｗが挿通されたパイプ１０及びコルゲートチューブ２０を挟むようにしてプロテクタ３０を取り付けることができるから、取り付け作業を容易に行うことができる。
【００４８】
また、第１シール部材５１及び第２シール部材５２が、弾力性を有する材料によって、一対の分割体４０の合体時にパイプ１０及びコルゲートチューブ２０の全周に密着可能なリング状をなすように形成された一対の第１分割リング部材５３及び第２分割リング部材５４を有し、一対の分割リング部材５３，５４は、それぞれが分割体４０に取り付けられ、一対の分割体４０が合体していない状態では、第１分割リング部材５３及び第２分割リング部材５４の周方向における一端側が合わせ面４１から一対の分割体４０の合体方向に突出している。この構成によれば、一対の分割体４０の合体時には、一対の第１分割リング部材５３及び第２分割リング部材５４の周方向における端面が潰れて互いに隙間なく密着するから、一対の第１分割リング部材５３または一対の第２分割リング部材５４からなる第１シール部材５１及び第２シール部材５２のシール性を高めることができる。
【００４９】
また、本体部３１が、パイプ１０に設けられた穴部１１に嵌合する突部３９を備えている。この構成によれば、突部３９が穴部１１に嵌合することにより、プロテクタ３０が軸方向及び周方向に位置決めされるから、バンド締め付け作業を不要とすることができる。
【００５０】
加えて、本体部３１が、コルゲートチューブ２０の谷部２２に入り込み可能な係止突条３８を備えている。この構成によれば、係止突条３８が谷部２２に嵌合することにより、プロテクタ３０が軸方向に位置決めされるから、バンド締め付け作業を不要とすることができる。
よって、プロテクタ３０のずれを防止するための結束バンドやテープ等の固定手段が不要になるため部品点数を減らすことができる。
【００５１】
また、合わせ面４１が、本体部３１の外周面４６から径方向の外側に突出して設けられている。この構成によれば、本体部３１の厚さ分だけを合わせ面とする場合に比して、本体部３１の全長にわたって合わせ面４１を増すことができるから、一対の分割体４０を強固に固着することができる。
【００５２】
また、合わせ面４１が、本体部３１の軸方向における端面３７から軸方向の外側に突出して設けられている。この構成によれば、本体部３１の端部において合わせ面を増すことができるから、一対の分割体４０をより強固に固着することができる。
【００５３】
＜他の実施例＞
本発明は上記記述及び図面によって説明した実施例に限定されるものではなく、例えば次のような実施例も本発明の技術的範囲に含まれる。
（１）上記実施例では、パイプ１０は、シールド機能及び保護機能を備えているが、これに限らず、パイプは、例えば合成樹脂製の管部材等、保護機能のみを備えたものであってもよい。
（２）上記実施例では、パイプ１０は金属管とされているが、これに限らず、パイプは、例えば、樹脂パイプ内に金属箔を同心で埋め込んだ構造のもの等であってもよい。
（３）上記実施例では、管部材が、形状保持性に優れたパイプ１０、及び可撓性に優れたコルゲートチューブ２０である場合を例示したが、これに限らず、管部材は、両方ともが形状保持性に優れた形状保持部材であってもよく、また両方ともが可撓性に優れた可撓部材であってもよい。
（４）上記実施例では、分割体４０が同形状とされているが、必ずしも分割体は同形状でなくてもよい。
（５）上記実施例では、突部３９及び穴部１１が一対ずつ設けられているが、これに限らず、突部及び穴部は１ずつ、または３以上ずつ設けてもよい。
（６）上記実施例では、合体前の分割体４０に取り付けられた第１分割リング部材５３及び第２分割リング部材５４の周方向における一端側が、合わせ面４１から突出しているが、これに限らず、例えば第１分割リング部材及び第２分割リング部材の周方向における両端部を合わせ面から突出させてもよい。
（７）上記実施例では、第１分割リング部材５３及び第２分割リング部材５４が予め分割体４０に取り付けられているが、これに限らず、例えば管部材側にＯリングを予め嵌め着けてもよく、この場合には、各分割体のシール取付部をＯリングの位置に合わせるようにして分割体を取り付けるようにしてもよい。
（８）上記実施例では、シール部材５１，５２がリング状をなす部品とされているが、これに限らず、シール部材は、リング状をなす部品でなくてもよく、例えばシール取付部に塗布された硬化性の止水剤（例えばポッティング剤）等であってもよい。
（９）上記実施例では、第１シール部材５１及び第２シール部材５２が一ずつ設けられているが、これに限らず、第１シール部材または第２シール部材を２以上ずつ設けてもよい。
【符号の説明】
【００５４】
Ｗ…電線
１０…パイプ（管部材）
１１…穴部
２０…コルゲートチューブ（管部材）
３０…プロテクタ
３１…本体部
３９…突部
４０…分割体
４１…合わせ面
５１…第１シール部材
５２…第２シール部材
５３…第１分割リング部材
５４…第２分割リング部材
５５…第１シール取付部
５６…第２シール取付部
【図１】
2018113739.tif 000003
【図２】
2018113739.tif 000004
【図３】
2018113739.tif 000005
【図４】
2018113739.tif 000006
【図５】
2018113739.tif 000007
【図６】
2018113739.tif 000008
【図７】
2018113739.tif 000009